(57)【要約】【課題】近接する機器同士を接続するためには、ケーブルを用いたり、接続を希望する機器の名前とアドレスを認識していることが必須の条件であった従来の接続方法を、そのような条件を要することなく接続可能にし、且つ、ブロードキャストのネットワーク環境下においても接続を希望する機器の特定・選択を行うことなく、その機器にだけ情報を送信できるようにする点である。【解決手段】一方の機器のスピーカーからアドレス情報とコマンドが変換されたＤＴＭＦ信号音を接続を希望する他方の機器のマイクに発し、これを聴取した他方の機器が一方の機器に対して指定されたコマンドを指定された方法で実行する。【選択図】図４
2013232863.tif 000002
【特許請求の範囲】
【請求項１】
ＩＰｖ４（Ｉｎｔｅｒｎｅｔ  Ｐｒｏｔｏｃｏｌ  Ｖｅｒｓｉｏｎ４）プロトコルのサブネットマスク２５５．２５５．２５５．０の範囲でプライベートアドレスが割り当てられた機器であって、
一方の機器の記憶部に記憶されたアプリケーションの変換モジュールがそのアドレス情報とコマンドをＤＴＭＦ（Ｄｕａｌ  Ｔｏｎｅ  Ｍｕｌｔｕｉ  Ｆｒｅｑｕｅｎｃｙ）信号音に変換するステップと、
前記一方の機器に備え付けのスピーカーから接続を希望する他方の機器に備え付けのマイクに前記ＤＴＭＦ信号音を発するステップと、
前記他方の機器の記憶部に記憶されたアプリケーションの変換モジュールが聴取した前記ＤＴＭＦ信号音をアドレス情報とコマンドに変換するステップと、
前記他方の機器の記憶部に記憶されたアプリケーションの接続モジュールが前記アドレス情報にアクセスして前記一方の機器との接続を行うと共にコマンドを実行するステップ、
とからなることを特徴とするＤＴＭＦ信号音による近接機器の自動接続方法。
【請求項２】
前記一方の機器に備え付けのスピーカーから接続を希望する他方の機器に備え付けのマイクに前記ＤＴＭＦ信号音を発するステップは、これに代えて、
前記ＤＴＭＦ信号音を記憶した電話やトランシーバー、リモコンなど他の送信媒体から接続を希望する他方の機器に備え付けのマイクに発するステップ、
であることを特徴とする請求項１記載のＤＴＭＦ信号音による近接機器の自動接続方法。
【発明の詳細な説明】
【技術分野】
【０００１】
本発明は、ＤＴＭＦ（Ｄｕａｌ  Ｔｏｎｅ  Ｍｕｌｔｉ  Ｆｒｅｑｕｅｎｃｙ）信号音を用いての近接する機器同士を自動接続するための方法に関する。
【背景技術】
【０００２】
複数の機器同士をネットワークを介して接続する技術仕様としてＵＰｎＰ（Ｕｎｉｖｅｒｓａｌ  Ｐｌｕｇ  ａｎｄ  Ｐｌａｙ）やＤＬＮＡ（Ｄｉｇｉｔａｌ  Ｌｉｖｉｎｇ  Ｎｅｔｗｏｒｋ  Ａｌｌｉａｎｃｅ）があり、いずれも既に電気・通信・情報などの分野で広く利用されている。しかしながら、これら技術仕様を用いて２つの通信端末同士を接続する場合、様々な通信端末の名前とアドレスが登録されている一覧から接続したい通信端末のアドレスを選択してアクセスしなければならず、接続したい通信端末の名前とアドレスを認識していることが必須の条件であった。
【０００３】
また、２台の固定電話同士は物理的に接続されているが、論理的に接続されるためには電話を掛ける必要がある。更に、上のＵＰｎＰやＤＬＮＡの技術仕様を用いたブロードキャストのネットワークの場合は、物理的に接続されている全ての通信端末に情報が送られてしまうため、接続を希望する通信端末にだけ情報を送るためには、その通信端末の名前やアドレスを選択・特定する必要があった。
【先行技術文献】
【特許文献】
【０００４】
【特許文献１】特開２０１１−１３５４４８号公報
【特許文献２】特開２０１０−１１４７２１号公報
【発明の概要】
【発明が解決しようとする課題】
【０００５】
本発明が解決しようとする課題は、近接する機器同士を接続するためには、接続を希望する機器の名前とアドレスを認識していることが必須の条件であった従来の接続方法を、そのような条件を要することなく接続可能にし、且つ、ブロードキャストのネットワーク環境下においても接続を希望する機器の特定・選択を行うことなく、その機器にだけ情報を送信できるようにする点である。
【課題を解決するための手段】
【０００６】
本発明は、上の課題を解決するための手段として、ＩＰｖ４（Ｉｎｔｅｒｎｅｔ  Ｐｒｏｔｏｃｏｌ  Ｖｅｒｓｉｏｎ４）プロトコルのサブネットマスク２５５．２５５．２５５．０の範囲でプライベートアドレスが割り当てられた機器であって、一方の機器の記憶部に記憶されたアプリケーションの変換モジュールがそのアドレス情報とコマンドをＤＴＭＦ（Ｄｕａｌ  Ｔｏｎｅ  Ｍｕｌｔｕｉ  Ｆｒｅｑｕｅｎｃｙ）信号音に変換するステップと、前記一方の機器に備え付けのスピーカーから接続を希望する他方の機器に備え付けのマイクに前記ＤＴＭＦ信号音を発するステップと、前記他方の機器の記憶部に記憶されたアプリケーションの変換モジュールが聴取した前記ＤＴＭＦ信号音をアドレス情報とコマンドに変換するステップと、前記他方の機器の記憶部に記憶されたアプリケーションの接続モジュールが前記アドレス情報にアクセスして前記一方の機器との接続を行うと共にコマンドを実行するステップ、とからなるＤＴＭＦ信号音による近接機器の自動接続方法を提案するものである。
【０００７】
３２ビットのＩＰｖ４アドレスではホスト部が８ビットとなるため、最大２５５台の機器と接続可能なネットワークが形成できる。斯かるところ、ＤＴＭＦ信号音は通信端末などの機器が備える０から９までの数字と、＊、＃、Ａ、Ｂ、Ｃ、Ｄの記号の計１６種類の符号を用いて、４種類の低群の音と４種類の高群の音とを組み合わせて（４×４）１６種類の信号を発することができる。つまり、サブネットマスク２５５．２５５．２５５．０に係る数値としての０〜２５５を表現するためには、１６音のＤＴＭＦ信号音を２音使用することで足り（１６×１６＝２５６）、これに実行すべき８種類のコマンドと誤り検出符号の制御用の１音を加えた計３音を用いるだけで済む。ＤＴＭＦ信号音の長さを短くすることは、高速且つ確実な接続を行うためには極めて重要だからである。本発明においてサブネットマスク２５５．２５５．２５５．０の範囲でプライベートアドレスが割り当てられた機器に限った理由は、まさにそのためである。
【０００８】
一方の機器の記憶部に記憶されたアプリケーションの変換モジュールはそのアドレス情報と共にコマンドをＤＴＭＦ信号音に変換するため、他方の機器の記憶部に記憶されたアプリケーションの変換モジュールは聴取したＤＴＭＦ信号音をアドレス情報のほかコマンドにも変換する。そのため、一方の機器との接続を確立する一方、コマンドによって他方の機器に所望の処理を実行させることができる。
【０００９】
本発明ではまた、上のＤＴＭＦ信号音による近接機器の自動接続方法であって、前記一方の機器に備え付けのスピーカーから接続を希望する他方の機器に備え付けのマイクに前記ＤＴＭＦ信号音を発するステップは、これに代えて、前記ＤＴＭＦ信号音を記憶した電話やトランシーバー、リモコンなど他の送信媒体から接続を希望する他方の機器に備え付けのマイクに発するステップ、であるＤＴＭＦ信号音による近接機器の自動接続方法についても提案する。
【００１０】
アドレス情報とコマンドが変換されたＤＴＭＦ信号音は必ずしも一方の機器のスピーカーから他方の機器のマイクにダイレクトに発せられるだけでなく、電話やトランシーバー、リモコンなどの他の送信媒体を経由して他方の機器のマイクに発せられるようにしても良い。そのため、一方の機器のスピーカーから他方の機器のマイクにダイレクトにＤＴＭＦ信号音を発するステップに代えて、送信媒体のスピーカーを接続を希望する他の機器のマイクにかざし、その記憶したＤＴＭＦ信号音を発するようにしてもよく、そうすることで希望する機器との接続をより確実に行うことができる。また、アドレス情報のＤＴＭＦ信号音は人為的にディスプレイから読み取って発声したり、アドレス情報が記録されたバーコードを読み取って発音させるようにしても良い。
【発明の効果】
【００１１】
本発明に係るＤＴＭＦ信号音による近接機器の自動接続方法によれば、各機器が持つ０−２５５までのＩＰアドレスと、世界中で汎用的に利用されているＤＴＭＦ信号音とを利用することで、特定の機器同士を接続し、所望の処理を行わせることができるため、情報の遣り取りのために各機器をケーブルで接続したり各種設定を行う煩わしさがない。
【００１２】
また、本発明に係るＤＴＭＦ信号音による近接機器の自動接続方法では、世界的に汎用性のあるＤＴＭＦ信号音により機器と接続できるだけでなく、ＤＴＭＦ信号音を記憶したスマートフォンなどの電話やトランシーバー、リモコンなど他の送信媒体から接続を希望する機器に聴かせることもできるため、テレビやＤＶＤプレイヤーなどのように家庭内で近距離に設置された機器が複数ある場合でも、所望の機器とだけ接続することができる。
【図面の簡単な説明】
【００１３】
【図１】図１は既存の接続（ピアツーピア接続）における概略説明図である。
【図２】図２は既存の接続（名前解決による接続）における概略説明図である。
【図３】図３は既存の接続（ブロードキャスト併用による接続）における概略説明図である。
【図４】図４は本発明の実施形態を示す概略説明図である。
【発明を実施するための形態】
【００１４】
昨今、ネットワーク上にある機器同士を接続することは、ＵＰｎＰ（Ｕｎｉｖｅｒｓａｌ  Ｐｌｕｇ  ａｎｄ  Ｐｌａｙ）やＤＬＮＡ（Ｄｉｇｉｔａｌ  Ｌｉｖｉｎｇ  Ｎｅｔｗｏｒｋ  Ａｌｌｉａｎｃｅ）の普及により容易にできるようになってきた。しかしながら、ネットワーク通信において機器同士を接続する場合、「接続を希望する機器を何らかの方法で指定しなければならないこと」及び「接続を希望する機器が予め分かっていること」がその大前提になる。その一例を示す。
【００１５】
電話を掛ける場合（ピアツーピア接続）
このケースでは図１に示すとおり、機器Ａが機器Ｂに接続するためには、機器Ａが機器Ｂのアドレスにアクセスする必要があるが、アクセスするためには機器Ｂのアドレスを何らかの方法で入手しなければならないという問題がある。
【００１６】
Ｗｅｂページの表示等による場合（名前解決による接続）
このケースでは図２に示すとおり、機器Ａが機器Ｂに接続するためには、（１）機器ＢがＮＡＭＳ（名前／アドレス管理サーバー）に自己の名前とアドレスを登録しており、（２）機器ＡはＮＡＭＳに対して機器Ｂのアドレスを名前で問合せ、（３）機器Ｂのアドレスを入手した上で、（４）機器Ｂのアドレスにアクセスする、というフローになるが、機器Ｂのアドレスを名前で問合わせるためには、機器Ｂの名前を何らかの方法で入手しなければならないという問題がある。
【００１７】
ＤＬＮＡやＵＰｎＰ等による場合（ブロードキャスト併用による接続）
このケースでは図３に示すとおり、機器Ａが機器Ｂ１に接続するためには、（１）機器Ｂ１〜Ｂ３がＮＡＭＳに自己の名前とアドレスを登録しており、（２）機器ＡはＮＡＭＳに対して登録されている機器の名前／アドレス一覧を要求し、（３）機器の名前／アドレス一覧を入手した上で、（４）その一覧から機器Ｂ１を選んでアクセスする、というフローになるが、接続を希望するのが機器Ｂ１であることを何らかの方法で把握しなければならないという問題があった。
【００１８】
そこで、単純に機器Ａのアドレス情報をＤＴＭＦ信号音に変換して機器Ｂに聴取させることで、前述した「電話を掛ける場合（ピアツーピア接続）」と「Ｗｅｂページの表示等による場合（名前解決による接続）」のケースでは、機器の接続という課題は解決できる。また、機器がＢ１〜Ｂ３と複数ある「ＤＬＮＡやＵＰｎＰ等による場合（ブロードキャスト併用による接続）」のケースでは、機器Ａから発せられたＤＴＭＦ信号音は物理的に接続された機器Ｂ１〜Ｂ３の全てに均等にアドレス情報が送られるため、機器Ｂ１の近くに寄り、小さな音量でＤＴＭＦ信号音を発することで、機器Ｂ１とだけ接続することが可能になる。
【実施例１】
【００１９】
図４は本発明に係るＤＴＭＦ信号音による近接機器の自動接続方法の実施形態を示す概略説明図であり、Ｒは機器Ｂ１のリモコン、Ｍは携帯電話である。
【００２０】
先ず、本発明に係るＤＴＭＦ信号音による近接機器の自動接続方法を実施するための機器は、図４に示すように、機器Ａと機器Ｂ１及び機器Ｂ２はそれぞれＩＰｖ４プロトコルのサブネットマスク２５５．２５５．２５５．０の範囲でプライベートアドレスが割り当てられており、各機器間はケーブル等によって接続されていない状況にある。
【００２１】
一般的に、それぞれの機器はルーターを経由してインターネットに接続することが可能であるが、各機器間で通信を行うためには機器双方のアドレスを交換しなければならない。アドレス交換はＤＬＮＡ（Ｄｉｇｉｔａｌ  Ｌｉｖｉｎｇ  Ｎｅｔｗｏｒｋ  Ａｌｌｉａｎｃｅ）のネットワーキング機能を用いることで自動的に行うことができるが、最終的には各機器を選択して接続しなければならなかった。また、それぞれの機器をケーブルで接続していた際はこのような問題は生じなかったが、一方ではケーブル接続や各種設定という煩わしさが不可避であった。
【００２２】
図４では、機器Ａは「１９２．１６８．０．４」のＩＰアドレスが、機器Ｂ１は「１９２．１６８．０．２」のＩＰアドレスが、機器Ｂ２には「１９２．１６８．０．３」のＩＰアドレスがそれぞれ割り当てられているが、０−２５５の範囲内であればこれ以外のＩＰアドレスでも良いことは言うまでもない。
【００２３】
機器Ａには少なくとも、そのアドレス情報とコマンドをＤＴＭＦ信号音に変換（エンコード）するための変換モジュールを備えたアプリケーション（図示しない）と、このＤＴＭＦ信号音を発するためのスピーカー（図示しない）が備えられており、機器Ｂ１と機器Ｂ２には少なくとも、機器Ａのスピーカーから発せられたＤＴＭＦ信号音を聴取するためのマイク（図示しない）と、このＤＴＭＦ信号音をアドレス情報とコマンドに変換（デコード）するための変換モジュールを備えたアプリケーション（図示しない）とが備えられている。
【００２４】
各機器が如上の構成を備えている状況において、機器Ａと接続したいのが機器Ｂ１である場合、機器Ａの記憶部に記憶されたアプリケーションの変換モジュールによってそのアドレス情報とコマンドをＤＴＭＦ信号音に変換（エンコード）し、機器Ａに備え付けのスピーカー（図示しない）から機器Ｂ１に備え付けのマイク（図示しない）に向けて発する。すると、機器Ｂ１に備え付けのマイク（図示しない）から聴取されたＤＴＭＦ信号音は機器Ｂ１の記憶部に記憶されたアプリケーションの変換モジュールによってそのＤＴＭＦ信号音をアドレス情報とコマンドに変換（デコード）し、機器Ａに対して接続を行うとともにコマンドを実行することになる。
【００２５】
前記したコマンドについて説明すると、「聴取したＤＴＭＦ信号音で指定された機器に、指定された情報を指定された方法で送信する」ことを内容とする能動的コマンドと、「聴取したＤＴＭＦ信号音で指定された機器からの接続を許可する」ことを内容とする受動的コマンドの２種類がある。図４を用いて具体例を説明すると、機器Ａがパーソナルコンピュータであり、機器Ｂ１がＤＶＤプレイヤーであると仮定し、機器Ａから「機器Ａのアドレスに映像を送ってください」という能動的コマンドをＤＴＭＦ信号音にて機器Ｂ１に発すると、そのＤＴＭＦ信号音を受け取った機器Ｂ１が指定された機器Ａへ接続し、映像を機器Ａに対して送信することで、機器Ａのパーソナルコンピュータで映像が見られるようになる。
【実施例２】
【００２６】
図４において、機器Ｂ１と機器Ｂ２が近くにあり、仮に機器Ｂ１と機器Ｂ２が同一機種である場合、機器Ａが前記した能動的コマンドを持つＤＴＭＦ信号音を発したとすると、機器Ｂ１も機器Ｂ２もそのＤＴＭＦ信号音を聴取してしまい、その結果、機器Ｂ１と機器Ｂ２の双方から機器Ａに対して映像が送られてしまうことになる。そのため、機器Ｂ１とだけ接続したい場合は、機器Ａに備え付けのスピーカーから機器Ｂ１に備え付けのマイクにＤＴＭＦ信号音を発することに代えて、ＤＴＭＦ信号音を記憶した電話やトランシーバー、リモコンなど他の送信媒体から機器Ｂ１のマイクに発するようにすることも可能である。つまり、電話やトランシーバー、リモコンなどの他の送信媒体を機器Ｂ１のマイクにかざし、ボリュームを調節してＤＴＭＦ信号音を発するのである。そうすることで、機器Ａで変換されたＤＴＭＦ信号音は機器Ｂ２に聴取されることなく、機器Ｂ１にだけアドレス情報とコマンドを送ることができる。送信媒体はもちろん、スマートフォンなどの電話やトランシーバー、リモコンに限定されず、機器Ａのディスプレイから人為的に読み取って発声し得るものでも良い。また、読み取るとは、実際のＤＴＭＦ信号音を記憶する場合のほか、バーコードなどに記録されたアドレス情報を読み取って発声し得るものでも良い。更に、機器Ａから発せられるＤＴＭＦ信号音を受け取る機器Ｂ１や機器Ｂ２側でも、聴取したＤＴＭＦ信号音に基づく情報を機器Ａに送信する手順を持った他の受信媒体で代替することも可能である。
【産業上の利用可能性】
【００２７】
本発明により、近接する機器を煩わしいケーブル接続や各種設定を要せずに接続できる。しかも、接続のために用いられるのが世界的に汎用性のあるＤＴＭＦ信号音であり、家庭内の機器だけでなく、業務用の機器とも容易に接続して所望の作業を行わせることができるため、各種機器にＤＴＭＦ信号音を送受する機能を付加することで、あらゆる分野での利用が可能となる。
【符号の説明】
【００２８】
Ｒ    リモコン
Ｍ    電話
【図４】
2013232863.tif 000003
【図１】
2013232863.tif 000004
【図２】
2013232863.tif 000005
【図３】
2013232863.tif 000006